(57)【要約】      （修正有）【課題】形状の異なる物品をスムーズに収納でき、しかも強度的に強く、加えて取り付けが容易な洗濯機上部収納棚を提供する。【解決手段】左右の側板７，８の間に配設された天板５及び底板６と、側板と天板と底板との溝に嵌合した背板９と、天板と底板との間に垂直に配設され、左右何れか一方に幅広の収納室、他方に幅狭の収納室を形成する中仕切り板１０と、幅広の収納室の前部開口を塞ぐ観音開きの扉１２と、両収納室内に水平に配置された各可動棚１３，１４とを備え、側板と天板と底板との後端が縦方向の壁板４の上部表面に当接して取り付けられた洗濯機上部収納棚１を採用する。底板６の下面に大型のハンガーパイプ１６を配設され、扉１２の内面に小型のハンガーパイプ１７やハンガーフック１８を配設した。縦長の壁板４を含めて収納棚ユニット１９を構成することも可能である。【選択図】図１
0003159934.tif 000002
【実用新案登録請求の範囲】
【請求項１】
左右の側板の間に配設された天板及び底板と、該側板と該天板と該底板との溝に嵌合した背板と、該天板と該底板との間に垂直に配設され、左右何れか一方に幅広の収納室、他方に幅狭の収納室を形成する中仕切り板と、該幅広の収納室の前部開口を塞ぐ観音開きの扉と、両収納室内に水平に配置された各可動棚とを備え、該側板と該天板と該底板との後端が縦方向の壁板の上部表面に当接して取り付けられたことを特徴とする洗濯機上部収納棚。
【請求項２】
前記底板の下面に大型のハンガーパイプが配設され、前記扉の内面に小型のハンガーパイプやハンガーフックが配設されたことを特徴とする請求項１記載の洗濯機上部収納棚。
【請求項３】
縦長の前記壁板を含めて収納棚ユニットが構成されることを特徴とする請求項１又は２記載の洗濯機上部収納棚。
【考案の詳細な説明】
【技術分野】
【０００１】
本考案は、マンション等の住宅の洗面所における洗濯機の上部スペースを洗剤や洗濯ハンガー、タオル等の収納部として活用した洗濯機上部収納棚に関するものである。
【背景技術】
【０００２】
従来、マンション等の住宅において洗濯機の上部スペースを有効活用することが望まれていた。
【０００３】
例えば、特許文献１には、マンションの洗面所の壁部に設けた壁装材の両側に縦長の側板を配設して、壁部から突出したダボ金具で固定し、ドラム式洗濯機の上方において両側板の間に複数の水平な棚板を上下可動式に配設し、壁装材を背板として兼用し、両側板のガイド溝に沿って扉を上下スライド式に配設したことが記載されている。スライド式の扉に代えて観音開きの扉を設けた例も記載されている。
【０００４】
特許文献２には、ダボ金具を壁装材間の取付金具に固定し、ダボ金具の先端側を側板の切欠孔に挿入し、切欠孔側の回転金具を回してダボ金具を固定することが記載されている。
【先行技術文献】
【特許文献】
【０００５】
【特許文献１】特許第３８０５１２４号公報（図３，図６）
【特許文献２】特開２０００−２４５５４６号公報（図４，図５）
【考案の概要】
【考案が解決しようとする課題】
【０００６】
しかしながら、上記従来の洗濯機上部収納棚にあっては、上下の棚板間の各スペースの幅が同じであるために、例えば洗剤とハンガー等といった形状の異なる物品をどこに収納するかを決めにくいという懸念があった。また、左右の側板と、背板を兼ねる壁装材と、棚板とが相互に固定されていないために、強度的に弱くなりやすいという懸念があった。また、床面から天井までの高さの左右の側板を用いるために構造が大型化し、取り付けが大変であるという懸念があった。
【０００７】
本考案は、上記した点に鑑み、例えば洗剤とハンガー等といった形状の異なる物品をスムーズに収納することができ、しかも強度的に強く、それに加えて取り付けが容易な洗濯機上部収納棚を提供することを目的とする。
【課題を解決するための手段】
【０００８】
上記目的を達成するために、本考案の請求項１に係る洗濯機上部収納棚は、左右の側板の間に配設された天板及び底板と、該側板と該天板と該底板との溝に嵌合した背板と、該天板と該底板との間に垂直に配設され、左右何れか一方に幅広の収納室、他方に幅狭の収納室を形成する中仕切り板と、該幅広の収納室の前部開口を塞ぐ観音開きの扉と、両収納室内に水平に配置された各可動棚とを備え、該側板と該天板と該底板との後端が縦方向の壁板の上部表面に当接して取り付けられたことを特徴とする。
【０００９】
上記構成により、例えば扉のある幅広の収納室に洗剤や柔軟剤やシャンプー等が収納され、扉を閉めて洗剤粉や臭の飛散が防止され、扉のない幅狭で縦長の収納室にピンチ付きハンガー等が畳んだ状態で収納される。天板と底板とで両側板の内向きの倒れが阻止され、中仕切り板で天板と底板との内向きの倒れが阻止され、背板で両側板と天板と底板とが補強される。両側板と天板と底板との後端が壁板に当接したことで、収納方向（後方への）の押圧力が壁板でしっかりと受け止められる。
【００１０】
請求項２に係る洗濯機上部収納棚は、請求項１記載の洗濯機上部収納棚において、前記底板の下面に大型のハンガーパイプが配設され、前記扉の内面に小型のハンガーパイプやハンガーフックが配設されたことを特徴とする。
【００１１】
上記構成により、例えば外側の大型のハンガーパイプに使用済みの濡れたバスタオルやバスマット等が掛けられ、内側の小型のハンガーパイプやハンガーフックに洗濯ブラシやゴム手袋等がちょい掛けされる。
【００１２】
請求項３に係る洗濯機上部収納棚は、請求項１又は２記載の洗濯機上部収納棚において、縦長の前記壁板を含めて収納棚ユニットが構成されることを特徴とする。
【００１３】
上記構成により、両側板と天板と底板と背板と中仕切り板とで成る収納棚本体が予め縦長の壁板の上部に固定されて収納棚ユニットを成し、洗面所の壁部に沿って壁板を起立させることで、洗濯機上部の空間に洗濯機上部収納棚が作業性良く簡単に取り付けられる。
【考案の効果】
【００１４】
請求項１記載の考案によれば、例えば扉付きの収納室に洗剤等を飛散や臭い漏れなく収納すると共に、扉なしの縦長の収納室にピンチ付きハンガーを畳んだ状態で出し入れ自在に収納することができる。また、両側板と天板と底板と背板と中仕切り板とが互いに補強し合うことで、機械的強度の高い安全な洗濯機上部収納棚を得ることができる。また、両側板と天板と底板との後端を壁板に当接させることで、収納する際の押し力を壁板で受け止めて、洗濯機上部収納棚の取付強度を高めることができ、安全性を向上させることができる。
【００１５】
請求項２記載の考案によれば、収納室外側のハンガーパイプに使用済みの濡れたバスタオルやバスマット等を掛けておき、洗濯時に忘れずにしかも手間をかけずに洗濯機に投入することができる。また、収納室内側のハンガーパイプやハンガーフックに使用済みの濡れた洗濯ブラシやゴム手袋を簡単に掛けて干すことができる。
【００１６】
請求項３記載の考案によれば、洗面所の壁部に沿って収納棚ユニットの壁板を起立させることで、洗濯機上部の空間に洗濯機上部収納棚を簡単に取り付けることができる。
【図面の簡単な説明】
【００１７】
【図１】本考案に係る洗濯機上部収納棚の一実施形態を示す正面図である。
【図２】同じく洗濯機上部収納棚の要部を示す横断面図である。
【図３】同じく洗濯機上部収納棚の扉のある収納室を示す縦断面図である。
【図４】同じく洗濯機上部収納棚の扉のない収納室を示す縦断面図である。
【考案を実施するための形態】
【００１８】
図１〜図４は、本考案に係る洗濯機上部収納棚の一実施形態を示すものである。
【００１９】
図１（正面図）の如く、この洗濯機上部収納棚１は、床面（ＦＬ）２上に設けた洗濯機設置用の防水パン３の背後に縦長の壁板４が配設され、防水パン３の上方において壁板４の上部に、水平な上下の板部（天板５と底板６）と、垂直な左右の板部（側板）７，８と、垂直な背板９と、左右の側板７，８の間に配置された垂直な中仕切り板１０と、左の側板７と中仕切り板１０とにヒンジ１１で開閉自在に設けられた観音開きの垂直な左右の扉１２と、左の側板７と中仕切り板１０との間に上下可動式に設けられた水平な幅広の可動棚１３と、中仕切り板１０と右の側板８との間に上下可動式に設けられた水平な幅狭の可動棚１４とで成る矩形箱状の収納棚本体１５が配設されたものである。
【００２０】
底壁６の下面には、水平なパイプ本体１６ａと、パイプ本体１６ａの左右端を固定するブラケット１６ｂとで成るハンガーパイプ１６が設けられている。左の扉１２の裏面には小型のハンガーパイプ１７が設けられ、右の扉１２の裏面には複数（三つ）の垂直なハンガーフック１８が設けられている。これらハンガーパイプ１６，１７とハンガーフック１８と上記収納棚本体１５とで洗濯機上部収納棚１が構成されている。背後の縦長の壁板４に収納棚本体１５が固定され、洗濯機上部収納棚１と背後の壁板４とで収納棚ユニット１９が構成されている。
【００２１】
図３（扉１２側の収納室２０の縦断面図）の如く、壁板４は天板５よりも少し高く突出し、天板４の前端上面に横長の幕板２２が設けられ、図１の如く、幕板２２は天板５の上面と左右の側板７，８の上端面とに接して、左右の側板７，８の外面と同一面まで水平に延長されている。幕板２２の上面は天井（図示せず）の下面に接する。幕板２２は天板５にねじ釘等で固定される。ねじ釘等を幕板２２に貫通させて天井に固定することも可能である。
【００２２】
図１の如く、上下の板部５，６の左右端面は左右の側板７，８の内面に当接し、左右の側板７，８の上端面は天板５の上面と同一面に位置し、左右の側板７，８の下端面は底板６の下面と同一面に位置している。また、扉１２内の広い空間２０（図２）内に配置された一枚の可動棚１３の左右の端面は、左の側板７の内面と中仕切り板１０の左の内面に若干の隙間を存して接し、中仕切り板１０と右の側板８との間の狭い縦長の空間２１（図２）内の一枚の可動棚１４の左右の端面は、中仕切り板１０の右の外面と右の側板８の内面とに若干の隙間を存して接している。
【００２３】
左右の側板７，８の間に上下の板部５，６が配設されたことで、左右の側板７，８の内向きの倒れが阻止され、上下の板部５，６の間に中仕切り板１０が配設されたことで、上下の板部５，６の内向きの倒れが阻止されて、収納棚本体１５の強度が高められている。
【００２４】
左右の扉１２の上端面は天壁５の上面と同一面に位置し、左右の扉１２の下端面は底板６よりも少し下方に延長されてハンガーパイプ１６のパイプ本体１６ａよりも上方に位置している。両扉１２の左右の外端面は左の側板７の外面と中仕切り板１０の外面と略同一面に位置している。両扉１２は幅広の収納空間２０（図２）の前部開口を塞いでいる。図１で各扉１２の外寄りの上下の丸で示す部分１１は内側のヒンジの位置を示している。
【００２５】
図１，図３における収納レイアウトの一例として、扉１２内の下段の収納室２０ｂに例えば洗剤や柔軟剤や浴用シャンプー等といった比較的重量のある物を収容し、扉１２内の上段の収納室２０ａにティッシュペーパやタオル等といった比較的軽量の物を収容し、図１，図４における扉のない右の空間２１には、可動棚１４を図１，図４よりも上方に移動して、下側に縦長の収納室（１２ｂ）を形成して、ピンチ付き小物ハンガーを収容し、上側の狭い収納室（２１ａ）にはタオル等を収容したりすることができる。また、外側のハンガーパイプ１６には使用済みの濡れたバスマットやバスタオル等を掛けることができる。
【００２６】
図２（洗濯機上部収納棚１の横断面図）の如く、左右の側板７，８の後端部の内面に上下方向の垂直な溝２３が設けられ、両溝２３内に背板９の左右端の前半の突板部９ａが嵌合して固定されている。背板９の左右端の後半の平坦部９ｂは左右の側板７，８の内面に当接し、背板９の後面は左右の側板７，８の後端面と同一面に位置している。また、中仕切り板１０の前端面は閉じた左の扉１２の内面に接し、中仕切り板１０の後端面は背板９の内面に当接している。
【００２７】
背板９が左右の側板７，８の間に配置され、側板７，８の溝２３に係合すると共に側板７，８の内面に当接したことで、左右の側板７，８が補強され、中仕切り板１０の後端が背板９の内面に当接したことで、背板９の内向きのへこみ（反り）が阻止され、収納棚本体１５の強度が高められている。背板９は前半の突板部９ａのみの板厚として後半の平坦部９ｂを排除して薄板化することも可能である。
【００２８】
図２で、符号１１はヒンジ、１７は、扉内面のハンガーパイプ、１８は、同じくハンガーフック、６は底板をそれぞれ示している。扉内のハンガーパイプ１７やハンガーフック１８には洗濯ブラシやゴム手袋等を引っ掛けることができる。図２には可動棚１３，１４を図示していない。
【００２９】
右側の扉１２は隣の収納室２１に向けて大きく開くことができる。このため、扉のない収納室２１すなわち右の側板８を洗面所の壁部（図示せず）に隣接して配置し、左の扉１２を大きく開けたい場合は、左の側板７を洗面所の空間に隣接して配置することが好ましい。マンション等の間取りによって、左の側板７に隣接して洗面所の壁部（図示せず）が位置し、右の側板８に隣接して洗面所の空間が位置する場合は、図２の洗濯機上部収納棚１のレイアウトを左右逆に変更して右側に扉１２、左側に扉のない収納室２１を配置することが好ましい。
【００３０】
図３（扉側の収納室２０の縦断面図）の如く、縦長の壁板４は、表面（前面）側の防水を兼ねた薄板の化粧板４ａと、裏面（後面）側の厚板の壁板本体４ｂとで構成されている。壁板４の下端は床面（ＦＬ）２と同一面に位置し、壁板４の上端は天井面と同一面に位置する。壁板４にはコンセントと水栓（図示せず）が貫通して配設される。このため壁板本体４ｂの裏面側は凹んで中空となっていてもよい。
【００３１】
壁板４には予め洗濯機上部収納棚１を配設固定して、収納棚ユニット１９を構成し、収納棚ユニット１９の状態でマンション等の洗面所の壁部に組み付けることも組み付け性を高める上で可能である。洗濯機上部収納棚１を単体で天井寄りの高い位置に組み付けるのは大変だからである。また、収納棚本体１５の外面の色と幕板２２の色と壁板４の化粧板４ａの色とを同一にすることで、色が高さ方向に統一されて見栄えが向上する。
【００３２】
壁板４の表面に収納棚本体１５の上下の板部５，６の後端面と背板９の後面と、図２の左右の側板７，８の後端面とが当接して、しっかりと強固に固定されている。背板９の後面は壁板４の表面との間に若干の隙間を存してもよい。上下の板部５，６の後端内面には側板７，８におけると同様な溝２４が水平に設けられ、溝２４内に背板９の上下端の前半の突板部９ａが嵌合し、後半の平坦部９ｂは上下の板部５，６の内面に当接している。上下の板部５，６の間に背板９が配置されたことで、中仕切り板１０（図１）と協働して上下の板部５，６の内向きの倒れが阻止され、且つ上下の板部５，６が補強されて、収納棚本体１５の強度が高められている。
【００３３】
図３の如く、左の側板７の前部及び中仕切り板１０（図３に図示せず）の内面の前部に、前後縦二列のダボ穴２５が複数設けられ、前側の穴２５に金属製の上下一対のヒンジ１１がねじ締め固定され、後側の穴２５にダボ（図示せず）が選択挿入されると共に、左の側板７の後部及び中仕切り板１０の後部に縦一列に複数のダボ穴２６が設けられ、後側の穴２６にダボ（図示せず）が選択挿入され、前後のダボ２５，２６で可動棚１３が支持され、可動棚１３の後端面は背板９の前面に当接している。可動棚１３の前側に扉１２の裏面のハンガーパイプ１７やハンガーフック１８が少し離間して不干渉に位置する。前側のダボ穴２５の下側において底板６の下面にハンガーパイプ１６が配設されている。
【００３４】
図４（扉のない収納室２１の縦断面図）の如く、中仕切り板１０の外面の前後と右側の側板８（図４に図示せず）の前後に、縦一列に複数のダボ穴２７が設けられ、ダボ穴２７に選択挿入されたダボ（図示せず）で可動棚１４が支持され、可動棚１４の後端は背板９の前面に当接している。可動棚１４は扉側の収納室２０内の可動棚１３（図３）よりも前後に少し長く形成されている。背板９は上下の板部５，６と共に横長の一枚板である。図４で、符号２２は幕板、４は壁板、１６はハンガーパイプをそれぞれ示している。
【００３５】
なお、上記実施形態においては、縦長の壁板４をユニット１９の一部として説明したが、本考案はそれに限られるものではなく、壁板４が洗面所の縦方向の壁板であり、洗面所の壁板に洗濯機上部収納棚１を後付けする場合も含むものである（請求項１参照）。
【産業上の利用可能性】
【００３６】
本考案に係る洗濯機上部収納棚は、マンション等の住宅の洗面所における洗濯機の上部のデッドスペースを洗剤やタオル等の収納部として活用するために利用することができる。
【符号の説明】
【００３７】
１          洗濯機上部収納棚
４          壁板
５          天板
６          底板
７，８      側板
９          背板
１０        中仕切り板
１２        扉
１３，１４  可動棚
１６        ハンガーパイプ
１７        ハンガーパイプ
１８        ハンガーフック
１９        収納棚ユニット
２０        幅広の収納室
２１        幅狭の収納室
２３，２４  溝
【図１】
0003159934.tif 000003
【図２】
0003159934.tif 000004
【図３】
0003159934.tif 000005
【図４】
0003159934.tif 000006